(57)【要約】    【課題】  例えばタイル間の目地内に安定よくしかも容易に取り付けることが出来る目地用照明器具を提供する。    【解決手段】  電源コードと、この電源コードに接続された複数個のライトと、これら各ライトを支持する複数の支持台とが備えられ、ライトを支持した支持台は、構築物間の目地内に介装可能で、且つ支持台における目地内の被設置面への設置部位が支持台におけるライトの支持部位よりも大きく円錐台状に形成した。  【選択図】  図１
2006233426.tif 000002
【特許請求の範囲】
【請求項１】
電源コードと、この電源コードに接続されたライトと、このライトを支持する支持台とが備えられ、ライトを支持した支持台は、構築物間の目地内に介装可能で、且つ支持台における目地内の被設置面への設置部位が支持台におけるライトの支持部位よりも大きくしていることを特徴とする目地用照明器具。
【請求項２】
電源コードと、この電源コードに接続されたライトと、このライトを支持する支持台とが備えられ、支持台がライトを中心にして交差する十字状に形成されて、構築物における十字状に交差する目地内に介装可能としていることを特徴とする目地用照明器具。
【請求項３】
ライトがＬＥＤから構成され、電源コードに複数接続されていることを特徴とする請求項１または２に記載の目地用照明器具。
【発明の詳細な説明】
【技術分野】
【０００１】
本発明は、主としてタイル間の目地に埋め込んで用いる照明器具に関する。
【背景技術】
【０００２】
一般に玄関のアプローチや建物に通じるアプローチには、タイルやレンガなどが敷き詰められることがあるが、夜間などにこのアプローチの足元を照らしたり、あるいは誘導するために照明を設ける必要がある。
【０００３】
しかしながら、例えば特許文献１に示すような、通常の照明器具をタイルやレンガ上に設置するもの（特許文献１参照）にあっては、アプローチが照明器具により狭くなる不具合があり、場合によっては、照明器具につまづいて器具を破損するなどの問題も考えられる。
【０００４】
そこで本願出願人は、タイルやレンガ間の目地部分に着目して、タイルやレンガなどを敷き詰めたアプローチなどに設ける照明器具として、タイルやレンガ間の目地内にタイルやレンガ間に適正な姿勢でしかも容易に装填できる照明器具を開発せんとしたのである。
【０００５】
しかしながら、タイルやレンガ間の目地は一般的に幅が非常に狭く、この狭い目地内に照明器具をセットしようとした場合、特に照明器具を構成するライト部分を適正な姿勢に保たせて、目地内に固定することが困難である。
【０００６】
ライトを目地内にセットした後、目地を埋めるモルタルやコーキング材などの充填材料を目地内に充填するに伴い、ライトが不用意に傾くなどして、所望の方向を照明することが出来なくなるなどの不具合が考えられる。
【特許文献１】特開２００２−３０９８０３号
【発明の開示】
【発明が解決しようとする課題】
【０００７】
本発明は以上の実情に鑑みて開発されてもので、目的とするところは、目地内に安定よくしかも容易に取り付けることが出来る目地用照明器具を提供することにある。
【課題を解決するための手段】
【０００８】
前記した目的を達成するために、請求項１に記載の発明は、電源コードと、この電源コードに接続されたライトと、このライトを支持する支持台とが備えられ、
ライトを支持した支持台は、構築物間の目地内に介装可能で、且つ支持台における目地内の被設置面への設置部位が支持台におけるライトの支持部位よりも大きくしていることを特徴とするものである。
【０００９】
請求項２に記載の発明は、電源コードと、この電源コードに接続されたライトと、このライトを支持する支持台とが備えられ、支持台がライトを中心にして交差する十字状に形成されて、構築物間における十字状に交差する目地内に介装可能としていることを特徴とするものである。
【００１０】
請求項3に記載乃発明は、請求項1また刃煮に記載乃ライトがＬＥＤから構成され、電源コードに複数接続されていることを特徴とするものである。
【発明の効果】
【００１１】
請求項１に記載の発明によれば、ライトを支持する支持台が、構築物間の目地内に介装可能で、且つ支持台における目地内の被設置面への設置部位が支持台におけるライトの支持部位よりも大きくしたことにより、ライトを、被設置面上に載置して構築物間の狭い目地に安定よくしかも容易に取り付けることが出て、ライトや電源コードの目地内への埋設作業時などにライトが不用意に傾いたり倒れたりするのを確実に防止することが出来る。
【００１２】
請求項２に記載の発明によれば、ライトを支持する支持台がライトを中心にして交差する十字状に形成されて、構築物間における十字状に交差する目地内に介装可能としたことにより、ライトを、被設置面上に載置して構築物間における十字状に交差する目地に安定よくしかも容易に取り付けることが出て、ライトや電源コードの目地内への埋設作業時などにライトが不用意に傾いたり倒れたりするのを確実に防止することが出来るし、しかもライトを目地の交差位置に正確に配設することが出来る。
【００１３】
請求項３に記載の発明によれば、請求項１または２に記載の発明の効果に加え、例えば幅の狭い目地に沿って複数のライトを所定間隔毎に配置することが出来て、より一層効果的な照明を行なうことが出来る。
【発明を実施するための最良の形態】
【００１４】
以下、本発明の実施形態について図面を参照しながら説明する。
【００１５】
図１〜図３に示す照明器具１は、例えばアプローチの床面Ｆに敷設された主として構築物としてのタイル２間の目地２０に埋め込んで用いるものであって、この照明器具１は、基本的には、電源コード３と、この電源コード３に接続された複数のライト４と、これら各ライト４を支持するための複数の支持台５とから構成されている。
【００１６】
電源コード３の両端には、電源コード３同士を接続するための接続用コネクター３１が設けられている。
【００１７】
ライト４は、ＬＥＤ（Light Emitting Diode）から構成されている。
【００１８】
支持台５は、合成樹脂材料から略円錐台状に形成されたものであって、その上端部にライト４の下端部を埋設固定して、ライト４のレンズ部４１を支持台５の上方に突出させている。
【００１９】
またライト４のリード線と電源コード３との接続部は、支持台５の内部に埋設している。
【００２０】
そしてライト４の支持台５は、図２に示すように、タイル２間の目地２０内に介装可能で、且つ支持台５における目地２０内の被設置面２１への設置部位（支持台の下端）の直径が支持台５におけるライトの支持部位（支持台の上端）の直径よりも大きく形成されると共に、支持台５の底面がフラット面に形成されている。
【００２１】
次に以上の構成から成る照明器具１を、床面Ｆに平面視正方形としたタイル（構築物）２を敷設したアプローチにおける前記タイル２間の目地２０に敷設する方法を説明する。
【００２２】
先ず、床面Ｆ上に砂とセメントから成る下地Ｂを所定厚さに敷設すると共に、この下地Ｂの表面に更にモルタルＭを敷設する。
【００２３】
続いてタイル２の目地２０が形成される部位に例えば梃子や木片などにより、モルタルＭに横断面ほぼ正方形の溝６を床面の上方から見て格子状に形成し、支持台５の被設置面２１となる溝６の内底面を平らに仕上げる。
【００２４】
そして、モルタルＭ上にタイル２を敷設し、続いて電源コード３を溝６内に適宜配設すると共に、ライト４を支持している支持台５を例えば目地２０の交差位置となる溝６の交差部位に配置して、その溝６の内底面、即ち被設置面２１上に支持台５をセットする。
【００２５】
そして溝６内にシリコン製のコーキング材Ｋを充填して、タイル２間に形成される目地２０からライト４のレンズ部４１を上方に向けて露呈させる。
【００２６】
斯くして以上の照明器具１では、ライト４を被設置面２１上に安定的にセッティングして、タイル2間の目地２０に容易に取り付けることが出来、埋設作業時などにライト４が不用意に傾いたりするようなことがないのである。
【００２７】
尚、以上の実施形態では、支持台５を円錐台状に形成したが、これに限定されるものではなく、支持台５を例えば四角錐台状に形成してもよい。
【００２８】
次に図４〜図６に示す別の実施形態の照明器具１０を説明する。
【００２９】
図４〜図６に示す照明器具１０にあっても、電源コード３０と、この電源コード３０接続された複数のライト４０と、これら各ライト４０を支持するための複数の支持台５０とから構成され、電源コード３０及びライト４０は、図１〜図３に示す実施形態のものと基本的に同一ものを用い、支持台５０のみを異なる形状としている。
【００３０】
この支持台５０は、図４に示すように、ロッド状の第１支持部５１と、この第１支持部５１に対してライト４０の取り付け位置を中心にして交差するロッド状の第２支持部５２とから平面視十字状に形成されて、構築物の目地２０における十字状に交差する部位内に介装可能とすると共に、第１支持部５１と第２支持部５２の交差部にライト４０の下端部を埋設固定して、ライト４０のレンズ部４１を支持台５０の上方に突出させている。
【００３１】
また以上の支持台５０は、第１支持部５１を第２支持部５２よりも長く形成して、この第１支持部５１内にライト４０のリード線と電源コード３０との接続部及び電源コード３０の一部を埋設している。
【００３２】
以上の実施形態の照明器具１０を、前記実施形態と同様に、床面Ｆに平面視正方形としたタイル２を敷設したアプローチにおける前記タイル２間の目地２０に敷設する方法を説明する。
【００３３】
先ず、床面Ｆ上に砂とセメントから成る下地Ｂを所定厚さに敷設すると共に、この下地Ｂの表面に更にモルタルＭを敷設する。
【００３４】
続いてタイル２の目地２０が形成される部位に例えば梃子や木片などにより、モルタルＭに横断面ほぼ正方形の溝６を床面の上方から見て格子状に形成し、支持台５の被設置面２１となる溝６の内底面を平らに仕上げる。
【００３５】
そして、モルタルＭ上にタイル２を敷設し、続いて電源コード３０を溝６内に適宜配設すると共に、ライト４０を支持している支持台５０を目地２０の交差位置となる溝６の交差部位に配置する。
【００３６】
そして溝６内にシリコン製のコーキング材Ｋを充填して、タイル２間に形成される目地２０からライト４０のレンズ部４１を上方に向けて露呈させる。
【００３７】
斯くして以上の照明器具１０にあっても、ライト４０を被設置面２１上に安定的にセッティングして、タイル2間の目地２０に容易に取り付けることが出来、埋設作業時などにライト４０が不用意に傾いたりするようなことがないし、しかもライト４０を目地２０の交差位置に正確にセットすることが出来る。
【００３８】
以上の各実施形態では、照明器具１・１０をタイル２の目地２０に取り付けるようにしたが、これに限定されるものではなく、構築物として、レンガや自然石などの構築物の目地に取り付けてもよい。
【００３９】
また以上の実施形態では、照明器具１・１０をアプローチの床面に敷設したタイル２等の構築物の目地２０に取り付けるようにしたが、これに限定されるものではなく、例えば建物の壁面に敷設するタイルなどの目地に取り付けることも出来る。
【図面の簡単な説明】
【００４０】
【図１】本発明にかかる照明器具の一実施形態を示す斜視図。
【図２】図１に示す照明器具をタイル間の目地に取り付ける状態を示す説明図。
【図３】同、要部の拡大断面図。
【図４】本発明にかかる照明器具の他の実施形態を示す要部の斜視図。
【図５】図４に示す照明器具をタイル間の目地に取り付ける状態を示す説明図。
【図６】同、要部の拡大断面図。
【符号の説明】
【００４１】
１      照明器具
２      タイル
２０    目地
２１    被設置面
３・３０      電源コード
４・４０      ライト
５・５０      支持台
Ｆ      床面
Ｍ      コーキング材
【図１】
2006233426.tif 000003
【図２】
2006233426.tif 000004
【図３】
2006233426.tif 000005
【図４】
2006233426.tif 000006
【図５】
2006233426.tif 000007
【図６】
2006233426.tif 000008